【事件の表示】
　特願２０１６−７５６８７「プロセス制御情報を表示する方法及び装置、機械がアクセス可能な媒体、及びデバイス記述ファイル内にスクリプト拡張機能を作成する方法」拒絶査定不服審判事件〔平成２８年８月１２日出願公開、特開２０１６−１４６２０４、請求項の数（１２）〕について、次のとおり審決する。
【結　論】
　原査定を取り消す。
　本願の発明は、特許すべきものとする。
【理　由】
第１　手続の経緯
　本願は、平成２３年９月１２日（パリ条約による優先権主張２０１０年９月１３日、アメリカ合衆国）に出願した特願２０１１−１９８５４８号の一部を平成２８年４月５日に新たな特許出願としたものであって、その手続の経緯は以下のとおりである。
　平成２９年　４月１２日付け：拒絶理由通知書
　平成２９年　７月１８日　　：意見書、手続補正書の提出
　平成２９年１２月　７日付け：拒絶査定
　平成３０年　５月　７日　　：審判請求書、手続補正書の提出
　
第２　原査定の概要
　原査定（平成２９年１２月７日付け拒絶査定）の概要は次のとおりである。
　
　請求項１−１２に係る発明は、以下の引用文献１−４に基づいて、その発明の属する技術分野における通常の技術を有する者（以下、「当業者」という。）が容易に発明できたものであるから、特許法第２９条第２項の規定により特許を受けることができない。
　
引用文献等一覧
　１．特開２０１０−１９１９６４号公報
　２．特表２００７−５３６６３１号公報
　３．特開２０１０−６７１３２号公報
　４．橋本 良，PlantWebデジタルアーキテクチャ「AMSデバイス・マネージャ」，計装，２００７年，Vol.50, No.11，p.47-p.48
　
第３　本願発明
　本願請求項１−１２に係る発明（以下、それぞれ「本願発明１」−「本願発明１２」という。）は、平成３０年５月７日提出の手続補正書で補正された特許請求の範囲の請求項１−１２に記載された事項により特定される発明であり、本願発明１、３、６及び９は以下のとおりの発明である。
　
「【請求項１】
　プロセス制御情報を表示する方法であって、
　フィールドデバイスに関連付けられるプロセス制御情報の閲覧要求を受信することと、
　データベースを介して、前記フィールドデバイスに関連付けられるデバイス記述ファイルであって、電子デバイス記述言語（ＥＤＤＬ）に準拠するようにフォーマットされる、デバイス記述ファイルにアクセスすることと、
　前記デバイス記述ファイル内に記憶されたスクリプト拡張機能を含む前記デバイス記述ファイルを使用して、前記プロセス制御情報に対する表示を生成することと、
　を含み、
　前記スクリプト拡張機能は、前記プロセス制御情報が前記スクリプト拡張機能の中の条件と合致する場合に、図形に値を表示する機能、前記プロセス制御情報が前記条件と合致する場合に、データソースに値を書き込む機能、前記プロセス制御情報の一部分に対して少なくとも１つの数学演算を実施する表現、前記プロセス制御情報の前記一部分が前記条件と合致する場合に、前記プロセス制御情報の前記一部分を前記図形に変更することによって前記図形を表示するコンバータ、及び、前記条件が前記プロセス制御情報の前記一部分と合致する場合に、前記図形を表示する機能のグループから選択され、
　前記スクリプト拡張機能は、前記プロセス制御情報の一部に対して少なくとも１つの数学演算を実行して値を取得する機能、前記プロセス制御情報の前記一部が前記条件と一致する場合に、図形を表示する機能、及び、前記図形に前記値を表示する機能を含む、
　方法。」
　
「【請求項３】
　プロセス制御情報を表示する装置であって、
　データベースを介して、フィールドデバイスに関連付けられるデバイス記述ファイルにアクセスする、電子デバイス記述プロセッサであって、前記デバイス記述ファイルは、電子デバイス記述言語（ＥＤＤＬ）に関連付けられる、電子デバイス記述プロセッサと、
　前記デバイス記述ファイルおよび前記フィールドデバイスから受信されるプロセス制御情報を使用して、前記プロセス制御情報の表示を生成する、図形プロセッサであって、前記デバイス記述ファイルは、スクリプト拡張機能を含む、図形プロセッサと、
　を備え、
　前記デバイス記述ファイル内に記憶された前記スクリプト拡張機能は、前記プロセス制御情報が前記スクリプト拡張機能の中の条件と合致する場合に、図形に値を表示する機能、前記プロセス制御情報が前記条件と合致する場合に、データソースに値を書き込む機能、前記プロセス制御情報の一部分に対して少なくとも１つの数学演算を実施する表現、前記プロセス制御情報の前記一部分が前記条件と合致する場合に、前記プロセス制御情報の前記一部分を前記図形に変更することによって前記図形を表示するコンバータ、及び、前記条件が前記プロセス制御情報の前記一部分と合致する場合に、前記図形を表示する機能のグループから選択され、
　前記スクリプト拡張機能は、前記プロセス制御情報の一部に対して少なくとも１つの数学演算を実行して値を取得する機能、前記プロセス制御情報の前記一部が前記条件と一致する場合に、図形を表示する機能、及び、前記図形に前記値を表示する機能を含む、
　装置。」
　
「【請求項６】
　実行されると、機械に、少なくとも、
　フィールドデバイスから送信されるプロセス制御情報の閲覧要求を受信させ、
　データベースを介して、前記フィールドデバイスに関連付けられるデバイス記述ファイルであって、電子デバイス記述言語（ＥＤＤＬ）に準拠するようにフォーマットされる、デバイス記述ファイルにアクセスさせ、
　前記デバイス記述ファイル内に記憶されたスクリプト拡張機能を含むデバイス記述ファイルを使用して、前記プロセス制御情報の表示を生成させる、
　その上に記憶される命令を有する、機械がアクセス可能な媒体であって、
　前記スクリプト拡張機能は、前記プロセス制御情報が前記スクリプト拡張機能の中の条件と合致する場合に、図形に値を表示する機能、前記プロセス制御情報が前記条件と合致する場合に、データソースに値を書き込む機能、前記プロセス制御情報の一部分に対して少なくとも１つの数学演算を実施する表現、前記プロセス制御情報の前記一部分が前記条件と合致する場合に、前記プロセス制御情報の前記一部分を前記図形に変更することによって前記図形を表示するコンバータ、及び、前記条件が前記プロセス制御情報の前記一部分と合致する場合に、前記図形を表示する機能のグループから選択され、
　前記スクリプト拡張機能は、前記プロセス制御情報の一部に対して少なくとも１つの数学演算を実行して値を取得する機能、前記プロセス制御情報の前記一部が前記条件と一致する場合に、図形を表示する機能、及び、前記図形に前記値を表示する機能を含む、
　機械がアクセス可能な媒体。」
　
「【請求項９】
　デバイス記述ファイル内にスクリプト拡張機能を作成する方法であって、
　フィールドデバイスに関連付けられる情報を受信することと、
　前記フィールドデバイスからのプロセス制御情報が、いつ図形として表示されるかを識別する、前記情報内の条件を決定することと、
　前記フィールドデバイスからの前記プロセス制御情報が前記条件と合致する場合に、前記図形を表示するために、前記条件に基づいて、スクリプト拡張機能を作成することと、
　前記スクリプト拡張機能を前記フィールドデバイスに関連付けられるデバイス記述ファイルに記憶することと、
　を含み、
　前記スクリプト拡張機能は、前記プロセス制御情報の一部に対して少なくとも１つの数学演算を実行して値を取得する機能、前記プロセス制御情報の前記一部が前記スクリプト拡張機能の中の条件と一致する場合に、図形を表示する機能、及び、前記図形に前記値を表示する機能を含む、
　方法。」
　
　また、本願発明２、４−５、７−８及び１０−１２の概要は以下のとおりである。
　
　本願発明２は、本願発明１の構成全てを引用した発明である。
　
　本願発明４−５は、本願発明３の構成全てを引用した発明である。
　
　本願発明７−８は、本願発明６の構成全てを引用した発明である。
　
　本願発明１０−１２は、本願発明９の構成全てを引用した発明である。
　
第４　引用文献、引用発明等
１．引用文献１について
（１）原査定の拒絶の理由に引用された引用文献１には、図面とともに次の事項が記載されている（下線は理解の便のため当審にて付与。以下同）。
　
ア　段落【０００１】
「本開示は、概して、
プロセス制御システムに関し、より具体的には、電子記述言語（ＥＤＬ）スクリプトを使用してプロセス制御システムを構成する方法および装置
　
イ　段落【０００２】
「
電子デバイス記述言語（ＥＤＤＬ）
ＥＤＤＬは、典型的に、フィールドデバイスに関連するデータのパラメータ化および視覚化するための標準化されたインターフェースを組み込む
　
ウ　段落【０００７】
「一般的に、本明細書に説明される例示的な装置、方法、および製造品は、電子記述言語（ＥＤＬ）スクリプトおよび／またはインタープリティティブなシステムレベルスクリプトを用いて、プロセスプラント制御システムの全てまたは任意の部分を定義、記述、および／または別様に規定するために使用することができる。拡張可能なマーク付け言語（ＸＭＬ）に従って構築されるような一部のＥＤＬスクリプト言語においては、このようなＥＤＬスクリプトもスキーマと呼ばれる。これまで、
電子デバイス記述言語（ＥＤＤＬ）およびＥＤＬスクリプトは、プロセス制御システムのフィールドデバイスを定義、記述および／または別様に規定するためだけに使用された。対照的に、本明細書に説明される例示的なＥＤＬスクリプトは、プロセス制御システムの任意の数および／またはタイプの追加および／または代替の制御および／または非制御コンポーネントを定義、記述および／または別様に規定するために使用可能である。さらに、例示的なＥＤＬスクリプトは、プロセス制御システムのいずれか、または全てのコンポーネント間の任意の数および／またはタイプの相互接続を定義、記述および／または規定するために使用可能である。
　
エ　段落【００１０】
「図１の例示的な
操作ステーション１１５によって、プロセスプラントの操作者は、プロセスプラントの可変値を見ること、プロセスプラントの状況を見ること、プロセスプラントの状態を見ること、プロセスプラントの警告を見ること、および／またはプロセスプラントの設定を変更すること（例えば、ポイントおよび／または操作状況を設定、警告をクリア、警告を消音する等）をプロセスプラントの操作者に可能にする、１つ以上の操作ディスプレイ画面および／またはアプリケーションを確認および／または操作することが可能になる
　
オ　段落【００１８】
「図２は、図１の例示的なプロセス制御システムの構成システム１５０を実現する例示的な方式を示す。
ユーザが図１の例示的システム１００等、プロセス制御システムを表すＥＤＬスクリプトおよび／またはスキーマ２０５を作成することを可能にするために、図２の例示的な構成システムは、任意の数および／またはタイプのＥＤＬエディタ（そのうちの１つが参照番号２１０で示される）と、ＥＤＬライブラリ２１５とを含む。
図１の例示的なＥＤＬライブラリ２１５は、例示的なＥＤＬスクリプト２０５を作成するために選択および／または使用することができる、任意の数およびタイプのプロセス制御システムコンポーネントおよび／またはプロセス制御システムを相互接続するための複数のＥＤＬベーススキーマおよび／または記述を含む。
　
カ　段落【００２２】
「図２に示されるように、例示的なデバイスデータベース２３０は、ベンダー固有の構成システム２４０に関連して実現される。図２の例示的なシステム固有の構成システム２４０は、Ｅｍｅｒｓｏｎ  Ｐｒｏｃｅｓｓ  ＭａｎａｇｅｍｅｎｔのＦｉｓｈｅｒ‐Ｒｏｓｅｍｏｕｎｔ  Ｓｙｓｔｅｍｓ，Ｉｎｃ．により販売されているＤｅｌｔａＶプロセス制御システムの一部である。例示的な
プロセス制御システム構成スクリプトおよび／または情報２２５のインポートを可能にするために、図２の例示的なＤｅｌｔａＶ構成システム２４０は、インポートおよび／またはデータベース入力投入モジュール２５０を有するデータベースサーバ２４５を含む
図２の例示的なインポートモジュール２５０は、例示的なシステム固有のスクリプト２２５からデータ、ファイルおよび／または他の構成情報をインポートし、インポートしたデータ、ファイルおよび／または構成情報をＤｅｌｔａＶ構成データベース２５５に格納する。例えば、１つ以上の構成ツール２６０を用いて設定されるように、図２の例示的なデータベースサーバ２４５は、ＤｅｌｔａＶ構成データベース２５５に格納されたデータ、ファイルおよび／または他の構成情報に基づいて、および／またはこれらから、ＤｅｌｔａＶ操作データベース２６５を作成する。
　
（２）上記（１）ア、イ、ウ、エ、カの記載から、引用文献１には次の発明（以下、「引用発明」という。）が記載されていると認められる。
　
（引用発明）
「プロセス制御システムに関し、電子記述言語（ＥＤＬ）スクリプトを使用してプロセス制御システムを構成する方法および装置であって、電子デバイス記述言語（ＥＤＤＬ）は、フィールドデバイスに関連するデータのパラメータ化および視覚化するための標準化されたインターフェースを組み込み、電子デバイス記述言語（ＥＤＤＬ）およびＥＤＬスクリプトは、プロセス制御システムのフィールドデバイスを定義、記述および／または別様に規定するために使用され、ＥＤＬスクリプトは、プロセス制御システムの任意の数および／またはタイプの追加および／または代替の制御および／または非制御コンポーネントを定義、記述および／または別様に規定するために使用可能であり、操作ステーションによって、プロセスプラントの操作者は、プロセスプラントの可変値を見ること、プロセスプラントの状況を見ること、プロセスプラントの状態を見ること、プロセスプラントの警告を見ること、および／またはプロセスプラントの設定を変更することをプロセスプラントの操作者に可能にする、１つ以上の操作ディスプレイ画面を確認および／または操作することが可能であり、プロセス制御システム構成スクリプトおよび／または情報のインポートを可能にするために、ＤｅｌｔａＶ構成システムは、インポートおよび／またはデータベース入力投入モジュールを有するデータベースサーバを含み、インポートモジュールは、システム固有のスクリプトからデータ、ファイルおよび／または他の構成情報をインポートし、インポートしたデータ、ファイルおよび／または構成情報をＤｅｌｔａＶ構成データベースに格納し、ＤｅｌｔａＶ構成データベースに格納されたデータ、ファイルおよび／または他の構成情報に基づいて、ＤｅｌｔａＶ操作データベースを作成する方法および装置。」
　
２．引用文献２について
　原査定の拒絶の理由に引用された上記引用文献２の段落【００４６】等の記載からみて、当該引用文献２には、スクリプトや他のルーチンが図形エレメントと関連付けられて、図形エレメントの、関連する物理的エンティティベースのパラメータの内の１つ以上のパラメータに関するある状況を検出し、これらの検出された状況や状態は、スクリプトによって生成された状態や値に結び付けられたアニメーションまたは他のアクションもしくは動作を用いて図形に反映されるという技術的事項が記載されていると認められる。
　
３．その他の文献について
　原査定において周知技術を示す文献として引用された上記引用文献３の段落【００３５】−段落【００３６】には
「例えば、図９に一部を示すように、非ＳＩ単位定義辞書ファイル７０３には、非ＳＩ単位のコードと、これに対応するＳＩ単位のコードと、非ＳＩ単位の工業単位コードおよび対応するＳＩ単位の工業単位コードの間の変換を行うための変換式とが格納されている。非ＳＩ単位検出置換部７０５は、非ＳＩ単位定義辞書ファイル７０３に格納されている非ＳＩ単位のコードに一致するものを、上記デバイス仕様１１３の中に探索する。この探索で非ＳＩ単位の工業単位コードが検出されると（ステップＳ８０４）、非ＳＩ単位検出置換部７０５は、非ＳＩ単位定義辞書ファイル７０３に格納されている変換式により、検出した工業単位コードをＳＩ単位の工業単位コードに置換する（ステップＳ８０５）。一方、上記探索で、非ＳＩ単位の工業単位コードが検出されない場合（ステップＳ８０４）、ステップＳ８０６に進む。
　次に、ステップＳ８０６で、取得データ変換部１０６が、デバイス仕様にコードで記述されている工業単位を、工業単位辞書ファイル１０２を用い、表示のための表示文字列に変換する。この変換において、上述したステップＳ８０５の処理により、変換された表示文字列においては、非ＳＩ単位はない状態となる。次いで、取得データ変換部１０６は、変換したデータをパラメータ定義データベース１０７に格納する（ステップＳ８０７）。この後、例えば、データ出力制御部１０８が、パラメータ定義データベース１０７に格納されているデータを、表示部１０９に表示する。表示部１０９に表示されるデータにおいては、非ＳＩ単位がない状態となる。」
と記載され、上記引用文献４の第４８頁左欄第２０行−右欄第９行には
「弊社ＡＭＳの設備管理ツールとしての基本機能は大きく４つに分類できる。この４つの機能はエマソン計器のみに適用される機能ではなく、ＡＭＳデバイス・マネージャ自身がオープンなプラットフォームとして、ＨＡＲＴやＦＯＵＮＤＡＴＩＯＮフィールドバスに対応した他社計器にも等しく適応できる機能である。
　その４つの機能とは、計器の上位システムからの構成（アラート設定、レンジ、工業単位確認・変更など）、キャリブレーション、計器の診断情報の提示およびアラートの表示、計装機器保全に関するデータベース、変更履歴管理、レポート作成、さらにハンド・ヘルド・コミュニケータで収集されたデータの一括管理機能である。さらにＡＭＳデバイス・マネージャは拡張ＥＤＤＬをサポートしているため、拡張ＥＤＤＬに対応した計器では、基本機能に加えオンライントレンドや、各種の測定／診断の設定／表示をよりわかりやすいユーザインタフェースにて提供している（図２）。」と記載されている。
　
第５　対比・判断
１．本願発明１について
（１）対比
　本願発明１と引用発明とを対比すると、次のことがいえる。
　
ア　引用発明における「プロセス制御システム構成スクリプトおよび／または情報」は、本願発明１における「フィールドデバイスに関連付けられるデバイス記述ファイル」に相当する。
イ　引用発明の「操作ステーションによって、プロセスプラントの操作者は、プロセスプラントの可変値を見ること、プロセスプラントの状況を見ること、プロセスプラントの状態を見ること、プロセスプラントの警告を見ること、および／またはプロセスプラントの設定を変更することをプロセスプラントの操作者に可能にする、１つ以上の操作ディスプレイ画面を確認および／または操作することが可能」は、引用発明の「プロセスプラントの可変値」、「プロセスプラントの状況」及び「プロセスプラントの警告」等が、本願発明１の「プロセス制御情報」に相当し、それらを操作ディスプレイ画面を介して見ることが可能であることを意味するから、本願発明１における「プロセス制御情報を表示する方法」を含む。
　
ウ　引用発明の「操作ステーションによって、プロセスプラントの操作者は、プロセスプラントの可変値を見ること、プロセスプラントの状況を見ること、プロセスプラントの状態を見ること、プロセスプラントの警告を見ること、および／またはプロセスプラントの設定を変更することをプロセスプラントの操作者に可能にする、１つ以上の操作ディスプレイ画面を確認および／または操作することが可能」について、各種情報を見る際には、当然そのデータの閲覧要求が受信されることから、本願発明１における「フィールドデバイスに関連付けられるプロセス制御情報の閲覧要求を受信すること」を含む。
　
エ　引用発明における「プロセス制御システム構成スクリプトおよび／または情報のインポートを可能にするために、ＤｅｌｔａＶ構成システムは、インポートおよび／またはデータベース入力投入モジュールを有するデータベースサーバを含み」は、「データベースサーバ」が「プロセス制御システム構成スクリプトおよび／または情報」にアクセスすることを意味することから、本願発明１の「データベースを介して、前記フィールドデバイスに関連付けられるデバイス記述ファイル」「にアクセスすること」を含む。
　
オ　引用発明の「操作ステーションによって、プロセスプラントの操作者は、プロセスプラントの可変値を見ること、プロセスプラントの状況を見ること、プロセスプラントの状態を見ること、プロセスプラントの警告を見ること、および／またはプロセスプラントの設定を変更することをプロセスプラントの操作者に可能にする、１つ以上の操作ディスプレイ画面を確認および／または操作することが可能」及び「プロセス制御システム構成スクリプトおよび／または情報のインポートを可能にするために、ＤｅｌｔａＶ構成システムは、インポートおよび／またはデータベース入力投入モジュールを有するデータベースサーバを含み」から、ある情報を見るために、そのデータの閲覧要求が受信された場合には、「プロセス制御システム構成スクリプトおよび／または情報」にアクセスし、当該「プロセス制御システム構成スクリプトおよび／または情報」を使用して、プロセス制御情報に対する表示を生成するはずである。
　
　したがって、本願発明１と引用発明との間には、次の一致点、相違点があるといえる。
　
（一致点）
「プロセス制御情報を表示する方法であって、
　フィールドデバイスに関連付けられるプロセス制御情報の閲覧要求を受信することと、
　データベースを介して、前記フィールドデバイスに関連付けられるデバイス記述ファイルにアクセスすることと、
　前記デバイス記述ファイルを使用して、前記プロセス制御情報に対する表示を生成することと、
を含む、方法。」
　
（相違点１）
　本願発明１は、「デバイス記述ファイル」が「電子デバイス記述言語（ＥＤＤＬ）に準拠するようにフォーマットされる」のに対し、引用発明は、「プロセス制御システム構成スクリプトおよび／または情報」が電子デバイス記述言語（ＥＤＤＬ）に準拠するようにフォーマットされるか不明な点。
　
（相違点２）
　本願発明１は、「デバイス記述ファイル内に記憶されたスクリプト拡張機能」を含み「スクリプト拡張機能は、前記プロセス制御情報が前記スクリプト拡張機能の中の条件と合致する場合に、図形に値を表示する機能、前記プロセス制御情報が前記条件と合致する場合に、データソースに値を書き込む機能、前記プロセス制御情報の一部分に対して少なくとも１つの数学演算を実施する表現、前記プロセス制御情報の前記一部分が前記条件と合致する場合に、前記プロセス制御情報の前記一部分を前記図形に変更することによって前記図形を表示するコンバータ、及び、前記条件が前記プロセス制御情報の前記一部分と合致する場合に、前記図形を表示する機能のグループから選択され、
　前記スクリプト拡張機能は、前記プロセス制御情報の一部に対して少なくとも１つの数学演算を実行して値を取得する機能、前記プロセス制御情報の前記一部が前記条件と一致する場合に、図形を表示する機能、及び、前記図形に前記値を表示する機能を含む」のに対し、引用発明は当該構成を有していない点。
　
（２）相違点２についての判断
　デバイス記述ファイル内に、プロセス制御情報の一部に対して少なくとも１つの数学演算を実行して値を取得する機能、前記プロセス制御情報の前記一部が条件と一致する場合に、図形を表示する機能、及び、前記図形に前記値を表示する機能を含むスクリプト拡張機能が記憶されることは、上記引用文献１−４には記載されていない。したがって、デバイス記述ファイル内に、プロセス制御情報の一部に対して少なくとも１つの数学演算を実行して値を取得する機能、前記プロセス制御情報の前記一部が条件と一致する場合に、図形を表示する機能、及び、前記図形に前記値を表示する機能を含むスクリプト拡張機能を記憶させることは、当業者といえども容易に想到することはできない。
　以上から、上記相違点１について判断するまでもなく、本願発明１は、当業者であっても、引用発明、引用文献２−４に記載された技術的事項に基づいて容易に発明できたものであるとはいえない。
　
２．本願発明２について
　本願発明２は、本願発明１の構成全てを引用した発明であるから、本願発明１と同様の理由により、当業者であっても、引用発明、引用文献２−４に記載された技術的事項に基づいて容易に発明できたものであるとはいえない。
　
３．本願発明３について
　本願発明３は、「デバイス記述ファイルは、スクリプト拡張機能を含」み、「前記デバイス記述ファイル内に記憶された前記スクリプト拡張機能は、前記プロセス制御情報が前記スクリプト拡張機能の中の条件と合致する場合に、図形に値を表示する機能、前記プロセス制御情報が前記条件と合致する場合に、データソースに値を書き込む機能、前記プロセス制御情報の一部分に対して少なくとも１つの数学演算を実施する表現、前記プロセス制御情報の前記一部分が前記条件と合致する場合に、前記プロセス制御情報の前記一部分を前記図形に変更することによって前記図形を表示するコンバータ、及び、前記条件が前記プロセス制御情報の前記一部分と合致する場合に、前記図形を表示する機能のグループから選択され、
　前記スクリプト拡張機能は、前記プロセス制御情報の一部に対して少なくとも１つの数学演算を実行して値を取得する機能、前記プロセス制御情報の前記一部が前記条件と一致する場合に、図形を表示する機能、及び、前記図形に前記値を表示する機能を含む」ものであるから、本願発明１と同様の理由により、本願発明３は、当業者であっても、引用発明、引用文献２−４に記載された技術的事項に基づいて容易に発明できたものであるとはいえない。
　
４．本願発明４−５について
　本願発明４−５は、本願発明３の構成全てを引用した発明であるから、本願発明３と同様の理由により、当業者であっても、引用発明、引用文献２−４に記載された技術的事項に基づいて容易に発明できたものであるとはいえない。
　
５．本願発明６について
　本願発明６は、「デバイス記述ファイル内に記憶されたスクリプト拡張機能」を含み、「前記スクリプト拡張機能は、前記プロセス制御情報が前記スクリプト拡張機能の中の条件と合致する場合に、図形に値を表示する機能、前記プロセス制御情報が前記条件と合致する場合に、データソースに値を書き込む機能、前記プロセス制御情報の一部分に対して少なくとも１つの数学演算を実施する表現、前記プロセス制御情報の前記一部分が前記条件と合致する場合に、前記プロセス制御情報の前記一部分を前記図形に変更することによって前記図形を表示するコンバータ、及び、前記条件が前記プロセス制御情報の前記一部分と合致する場合に、前記図形を表示する機能のグループから選択され、
　前記スクリプト拡張機能は、前記プロセス制御情報の一部に対して少なくとも１つの数学演算を実行して値を取得する機能、前記プロセス制御情報の前記一部が前記条件と一致する場合に、図形を表示する機能、及び、前記図形に前記値を表示する機能を含む」ものであるから、本願発明１と同様の理由により、本願発明６は、当業者であっても、引用発明、引用文献２−４に記載された技術的事項に基づいて容易に発明できたものであるとはいえない。
　
６．本願発明７−８について
　本願発明７−８は、本願発明６の構成全てを引用した発明であるから、本願発明６と同様の理由により、当業者であっても、引用発明、引用文献２−４に記載された技術的事項に基づいて容易に発明できたものであるとはいえない。
　
７．本願発明９について
　本願発明９は「デバイス記述ファイル内にスクリプト拡張機能を作成する方法であって、
　フィールドデバイスに関連付けられる情報を受信することと、
　前記フィールドデバイスからのプロセス制御情報が、いつ図形として表示されるかを識別する、前記情報内の条件を決定することと、
　前記フィールドデバイスからの前記プロセス制御情報が前記条件と合致する場合に、前記図形を表示するために、前記条件に基づいて、スクリプト拡張機能を作成することと、
　前記スクリプト拡張機能を前記フィールドデバイスに関連付けられるデバイス記述ファイルに記憶することと、
　を含み、
　前記スクリプト拡張機能は、前記プロセス制御情報の一部に対して少なくとも１つの数学演算を実行して値を取得する機能、前記プロセス制御情報の前記一部が前記スクリプト拡張機能の中の条件と一致する場合に、図形を表示する機能、及び、前記図形に前記値を表示する機能を含む」ものであるから、本願発明１と同様の理由により、本願発明９は、当業者であっても、引用発明、引用文献２−４に記載された技術的事項に基づいて容易に発明できたものであるとはいえない。
　
８．本願発明１０−１２について
　本願発明１０−１２は、本願発明９の構成全てを引用した発明であるから、本願発明９と同様の理由により、当業者であっても、引用発明、引用文献２−４に記載された技術的事項に基づいて容易に発明できたものであるとはいえない。
　
第６　むすび
　以上のとおり、本願発明１−１２は、当業者が引用発明、引用文献２−４に記載された技術的事項に基づいて容易に発明をすることができたものではない。したがって、原査定の理由によっては、本願を拒絶することはできない。
　また、他に本願を拒絶すべき理由を発見しない。
　よって、結論のとおり審決する。